(57)【要約】【課題】空気調和機において、配管穴の位置が異なっても容易に換気管を換気ダクトに取り付けることができるようにし、室内ユニットの据付作業性が優れたものとする。【解決手段】空気調和機は、室内空気を空調するための室内熱交換器６ａ、６ｂ及び室内ファン４を横長の室内ユニット１内に配置し、室内空気を換気するための換気ファン４を室内ユニット１内の側端部に配置し、換気ファン４と室外への換気管との間を連通するための換気ダクト９を室内ユニット１の背面に設けている。通風ダクト９は、換気ファン４から室内ユニット１の背面に横長に延ばして設置され、その横方向の複数箇所に換気管１２との接続口を形成したものである。【選択図】  図１
2004347232.tif 000002
【特許請求の範囲】
【請求項１】
室内空気を空調するための室内熱交換器及び室内ファンを横長の室内ユニット内に配置し、室内空気を換気するための換気ファンを室内ユニット内の側端部に配置し、前記換気ファンと室外への換気管との間を連通するための換気ダクトを前記室内ユニットの背面に設けた空気調和機において、
前記換気ダクトを前記換気ファンから前記室内ユニットの背面に横長に延ばし且つその横方向の複数箇所に前記換気管との接続口を形成した
ことを特徴とする空気調和機。
【請求項２】
前記接続口に栓を予め装着しておくと共に、前記栓を取外した状態で前記換気管の装着が可能な前記接続口としたことを特徴とする請求項１記載の空気調和機。
【請求項３】
前記室内ユニットの背面下部の略全横幅にわたって下部が広く上部が狭い背面収納室を設け、前記室内ユニット内の反換気ファン側の側端部背面から冷媒管を引き出して前記背面収納室内の下部に横方向に引き回し可能とし、前記背面収納室内の上部に横方向に前記換気ダクトを設置したことを特徴とする請求項１記載の空気調和機。
【請求項４】
前記接続口を前記換気ダクトから下方に突出する筒部を有して形成し、前記筒部を前記室内ユニットの最後端部より内側に位置させたことを特徴とする請求項３記載の空気調和機。
【請求項５】
射出成形された樹脂製ベースで前記室内ユニットの背面を構成し、前記換気ダクトの上壁部、前壁部及び下壁部を前記ベースで一体に形成し、前記換気ダクトの後壁部を前記ベースと別体のカバーで形成したことを特徴とする請求項１記載の空気調和機。
【請求項６】
前記筒部を有する接続口を前記ベースと別部材で形成したことを特徴とする請求項５記載の空気調和機。
【発明の詳細な説明】
【０００１】
【発明の属する技術分野】
本発明は、空気調和機に係り、特に室内ユニット内の側端部に換気ファンを備えた空気調和機に好適なものである。
【０００２】
【従来の技術】
従来の空気調和機としては、特開２０００−２７４７２７号公報（特許文献１）に記載されたものがある。
【０００３】
この特許文献１には、室内空気を空調するための室内熱交換器及び室内ファンが横長の室内ユニット内に配置され、室内空気を換気するための換気ファンが室内ユニット内の側端部に配置され、冷凍サイクルの冷媒管が反換気ファン側の側端部の背面から引き出され、部屋の壁などを貫通する配管穴が反換気ファン側に形成された状態で換気ファンと換気管とを連通するための換気ダクトが設置され、室内ユニットの背面最下部の略全横幅にわたって冷媒管または換気ダクトの何れかを収納するための背面収納室が設けられた空気調和機が示されている。
【０００４】
【特許文献１】
特開２０００−２７４７２７号公報
【０００５】
【発明が解決しようとする課題】
しかしながら、特許文献１の空気調和機では、配管穴が室内ユニットの反換気ファン側に形成される場合にのみ、据付作業者が室内ユニットの背面に大きな換気ダクトを取り付けなければならないため、配管穴の位置によって据付作業が大きく異なり、室内ユニットの据付作業が面倒なものとなっていた。
【０００６】
また、特許文献１の空気調和機では、換気ダクトが室内ユニットの背面を構成する部材であるベースと完全に独立した別体で形成されているため、背面収納室の空間を有効に利用して換気ダクトを簡単に設置することが難しかった。即ち、ベースの背面形状と一致した換気ダクトとする場合には、換気ダクトの形状が複雑になって製作が面倒となり、円筒状の簡単な形状の換気ダクトとする場合には、換気ダクトとベースとの間に無駄な隙間ができて背面収納室の空間を有効に利用できなかった。
【０００７】
本発明の目的は、配管穴の位置が異なっても容易に換気管を換気ダクトに取り付けることができ、室内ユニットの据付作業性に優れた空気調和機を提供することにある。
本発明の別の目的は、室内ユニットの据付作業性を良好にしつつ、背面収納室の空間を有効に利用して通風ダクトの通風路面積を容易に確保できる空気調和機を提供することにある。
【０００８】
【課題を解決するための手段】
前記目的を達成するために、本発明は、室内空気を空調するための室内熱交換器及び室内ファンを横長の室内ユニット内に配置し、室内空気を換気するための換気ファンを室内ユニット内の側端部に配置し、前記換気ファンと室外への換気管との間を連通するための換気ダクトを前記室内ユニットの背面に設けた空気調和機において、前記換気ダクトを前記換気ファンから前記室内ユニットの背面に横長に延ばし且つその横方向の複数箇所に前記換気管との接続口を形成したものである。
前記目的をより好ましく達成するために、本発明は前記構成に次の構成を加えたものである。
前記接続口に栓を予め装着しておくと共に、前記栓を取外した状態で前記換気管の装着が可能な前記接続口としたものである。
また、前記室内ユニットの背面下部の略全横幅にわたって下部が広く上部が狭い背面収納室を設け、前記室内ユニット内の反換気ファン側の側端部背面から冷媒管を引き出して前記背面収納室内の下部に横方向に引き回し可能とし、前記背面収納室内の上部に横方向に前記換気ダクトを設置したものである。
さらには、前記接続口を前記換気ダクトから下方に突出する筒部を有して形成し、前記筒部を前記室内ユニットの最後端部より内側に位置させたものである。前記別の目的を達成するために、本発明は、さらに、射出成形された樹脂製ベースで前記室内ユニットの背面を構成し、前記換気ダクトの上壁部、前壁部及び下壁部を前記ベースで一体に形成し、前記換気ダクトの後壁部を前記ベースと別体のカバーで形成したものである。
前記別の目的をより好ましく達成するために、本発明は、さらに、前記筒部を有する接続口を前記ベースと別部材で形成したものである。
【０００９】
【発明の実施の形態】
以下、本発明による空気調和機の複数の実施例について図を用いて説明する。
【００１０】
本発明の第１実施例の空気調和機を図１及び図２を参照しながら説明する。図１は本発明の第１実施例の空気調和機における室内ユニットの断面図、図２は図１の室内ユニットの背面斜視図である。
【００１１】
空気調和機は、室内ユニット１と室外ユニット（図示せず）とを冷媒管１５、ドレンホース１４、電気配線（図示せず）、換気管１２などを介して接続されているセパレート形空気調和機である。これらの冷媒管１５、ドレンホース１４、電気配線、換気管１２などは、室内ユニット１が設置される壁面等に形成される配管穴（図示せず）を貫通するように配設される。
【００１２】
室内ユニット１は全体形状が横長であり、室内の壁面の上部などに設置される。その箱体は、前面及び上下面を包囲する樹脂製の化粧カバー２と、背面を閉鎖する樹脂製のベース３とを備えて構成されている。化粧カバー２には、吸い込み口２ａと吐き出し口２ｂとが上下に形成されている。ベース３には、後壁部３ａと、内部に室内循環空気の風路を区画する左右仕切り３ｂ、３ｃとが一体に形成されている。このベース３には、機器類が搭載され、最下端部から後方に向けて折り返しを付けた下面壁部３ｄが設けられて強度を上げるようになっている。ベース３は二つの成形型により射出成形されている。これらの成形型の抜き方向は、図１の状態で左右方向である。
【００１３】
室内ファン４は横長の貫流ファンで構成され、左右仕切り３ｂ、３ｃの間に配置されている。右仕切り３ｃの外側、換言すれば室内ユニット１内の一側端部には、室内ファン４を駆動するモータ（図示せず）が配置されている。室内ファン４の吸込側である前方及び上方には、二つ室内熱交換器６ａ、６ｂが概略逆Ｖ字状になるように設置されている。室内熱交換器６ａ、６ｂは左右仕切り３ｂ、３ｃで両端が支えられている。室内空気は、室内ファン４を運転することにより、実線矢印に示すように、吸い込み口２ａを通して室内ユニット１内に吸い込まれ、室内熱交換器６ａ、６ｂと熱交換してから室内ファン４を通り、吐き出し口２ｂから室内に吐き出され、所定の空調が行なわれる。
【００１４】
ドレン皿７ａ、７ｂは、二つ室内熱交換器６ａ、６ｂのそれぞれの下端部下方に配置され、空調運転である冷房運転及び除湿運転の際に室内熱交換器６ａ、６ｂに凝縮して滴下する凝縮水を受けるよう配置されている。ドレン皿７ａ、７ｂに滴下した凝縮水は、一箇所に集められ、ドレンホース１４を通して室外に導かれる。ドレンホース１４は可撓性を有する配管で構成されている。
【００１５】
換気ファン８は、図２に示すように、左仕切り３ｂの外側、換言すれば室内ユニット１内の他側端部に配置されている。換気ファン８８は、吸込風路及び吐出風路を形成するケーシング８ａを有している。換気ファン８は左仕切り３ｂをケーシング８ａの一部として構成され、左仕切り３ｂ等に取り付けられている。このようにベース３の仕切り３ｂをケーシング８ａの一部として共用することにより、換気ファン８の構造を簡単なものとすることができると共に、換気ファン８を室内ユニット１内の狭いスペースに収納できるようにしている。ベース３のコーナ部にはへこみ３ｅが設けられている。このへこみ３ｅはケーシング８ａがベース３をスムーズに迂回できるようにするための逃げ部である。
【００１６】
換気ダクト９は、ケーシング８ａと配管穴とを連通するためのものであり、室内ユニット１の背面に横方向に延びて設置されている。この換気ダクト９の一側はケーシング８ａに連通されている。なお、換気ダクト９は接続具を介してケーシング８ａに接続されるようにしてもよい。換気ダクト９は、筒状に形成された樹脂製ダクトで構成され、室内ユニット１の横幅とほぼ同じ長さ、換言すれば室内熱交換器６ａ、６ｂの長さとほぼ同じ長さに形成されている。そして、換気ダクト９は背面収納室１３内の上部に配置されている。
【００１７】
背面収納室１３は室内ユニット１の背面下部に形成され、具体的には、室内ファン４の背面側ケーシングを兼ねるベース３の後壁部３ａとベース３の下面壁部３ｄとで形成される空間である。この背面収納室１３の断面形状は、下端部が前方に位置する略直角三角形状をしている。従って、背面収納室１３は、下部が広く、上部が狭い空間である。
【００１８】
換気ダクト９の横方向の複数箇所には、換気管１２を取り付けるための接続口１０が形成されている。この接続口１０は、換気ダクト９の両端近くと中間の合計３個所に設けられている。なお、接続口１０は換気ダクト９の両端近くにのみに設けることとしてもよく、その場合には換気ダクト９の構造を簡単なものとすることができる。接続口１０は換気ダクト９の下面に配設され、かつ、換気ダクト９から下方斜め後方に突出する小筒部１０ａを有している。小筒部１０ａの後端は室内ユニット１の最後端位置より内側になっている。
【００１９】
３箇所の接続口１０は換気管１２が装着可能な構造となっている。これによって、配管穴の位置に応じて、容易に換気管１２を接続口１０に装着することができる。具体的には、３個所の接続口１０には、ゴム等の栓１１は３箇所の接続口１０の全てに予め装着されており、栓１１を取外さないと、換気管１２が接続口１０に装着できないようになっている。従って、換気管１２を装着しようとする個所の栓１１を取外して換気管１２を装着することにより、容易にケーシング８ａと換気管１２とを連通させることができる。換気管１２は可撓性を有するゴム製の配管や樹脂製の配管で形成されている。なお、接続口１０の一つに栓１１を予め装着しておかず、栓１１を装着していない接続口１０に換気管１２を装着する場合には、換気管１２をそのまま装着し、栓１１を装着している接続口１０に換気管１２を装着する場合には、栓１１を取外して換気管１２を装着し、栓１１を栓１１のない接続口１０に装着するようにしてもよい。
【００２０】
冷凍サイクルの一部を構成する冷媒管１５は、室内熱交換器６ａ、６ｂと接続されており、室内ユニット１の右下背面から後方へ引き出されている。この冷媒管１５は、室外ユニットから引き出された冷媒管と接続されるものであり、行きと戻りの２本が一つの外周断熱材１５ａに包まれている。
【００２１】
冷媒管１５、ドレンホース１４、電気配線は、配管穴が換気ファン８側に形成される場合に、背面収納室１３内の下部を横方向に引き回される。
【００２２】
かかる構造において、室外から冷媒管１５を通して送られてくる低温または高温の冷媒は、室内の室内熱交換器６ａ、６ｂに入り、室内空気と熱交換した後、冷媒管１５を通して室外へ戻される。室内空気は、室内ファン４を運転することによって、吸い込み口２ａから吸い込まれ、室内熱交換器６ａ、６ｂの外表面を通して熱交換され、冷気、暖気または除湿された空気となって吐き出し口２ｂから室内に送風される。
【００２３】
換気ファン８を運転することによって、室内空気を換気ファン８に取り込み、ケーシング８ａの通風口８ｂから換気ダクト９に送り、選定された接続口１０から換気管１２を通して室外に送り出される。これによって、室内の換気が行なわれる。この換気作用は、室内空気を排気する作用のみならず、室外空気を給気する作用であってもよい。
【００２４】
本実施例によれば、室外から室内熱交換器６ａ、６ｂに冷媒が送られ、室内ファン４により室内空気と熱交換させる室内ユニットにおいて、換気ファン８を備え、室内ユニット１のベース３背面に室内熱交換器６ａ、６ｂの横幅寸法とほぼ同じ長さの換気ダクト９を備えて換気ファン８と連通し、換気ダクト９の長さ方向の複数個所に接続口１０を配設して、それらのうち配管穴に近い一個所を開口して換気管１２に連通させて換気が可能になる構成としている。この構成により、複数個所の接続口１０のうち、部屋の配管穴位置に合わせて最も近い接続口１０を選定できるので、従来のような換気ダクトを室内ユニットの背面に設置したり、設置しなかったりする面倒をなくすことができる。よって、据え付け作業を向上することができる。また、換気ダクト９が出荷時にはすでに接続されているので、据え付け時に換気ダクト９を換気ファン８に接続する作業を必要としない。
【００２５】
また、室内ユニット１の背面下部に背面収納室１３を備え、冷媒管１５及びドレンホース１４を背面収納室１３の下部に位置させ、換気ダクト９を背面収納室１３の上部に位置させている。この構成により、背面収納室１３の下部は冷媒管１５とドレンホース１４専用の収納室として使用できるので、冷媒管１５の引き回しの蛇行修正作業が容易になるものである。また、冷媒管１５の収納は、上は換気ダクト９で区画され、下はベース３の下面壁部３ｄで区画されるので、納まりがよく収納性を向上できる。
【００２６】
また、接続口１０が換気ダクト９から下面に向けた小筒部１０ａを有して構成され、小筒部１０ａが室内ユニット１の最後端位置より内側にしている。この構成により、接続口１０に換気管１２を接続する場合に小筒部１０ａの目視が容易となる。
【００２７】
また、図２に示すように、ベース３の後壁部にへこみ３ｅを設けたり、ケーシング８ａの通風口８ｂへの接続部分になだらかな曲げ８ｃなどを設けたりすることによって、通風抵抗が少なく、騒音が低い換気流路とすることができる。
【００２８】
また、換気ダクト９と換気管１２の接続に関しては、その引き出し方法を、図２中に、冷媒管体１５の引き回し必要としない場合（実線）と、引き回しを必要とする場合（２点鎖線）の２種を示してあるが、いずれの場合も容易に引き出し作業を行なうことができる。
【００２９】
また、換気ダクト９は背面収納室１３の上部に位置せしめてあるので、換気ダクト９から室外まで送り出す換気管１２の接続は距離を短くして通風抵抗を少なくし、換気管１２の接続作業は比較的広い背面収納室１３の一部を利用して容易に行なうことができる。また、背面収納室１３の下部は冷媒管１５とドレンホース１４専用の収納室として使用できるので、冷媒管引き回しの蛇行修正作業が容易になるものである。また、背面収納室１３に冷媒管１５及びドレンホース１４を収納する場合に奥に押しつけて収納しても外周断熱材１５ａ等の反発が幾分あるので、戻る作用があるが、上から換気ダクト９で抑えられ下からベースの下面壁部３ｄで抑えられるようにすることもでき、納まりがよく収納仕上がりをよくすることができる。
【００３０】
また、接続口１０が、換気ダクト９から下面に向けた小筒部１０ａからなり、小筒部１０ａを室内ユニットの最後端位置より内側にしてあるので、接続口１０に換気管１２を接続する部分が、換気ダクト９よりも後方に突出の少ない仕上げが得られ、はみ出しがないので室内ユニット１を壁面などに垂直に取り付けることができる。
【００３１】
また、接続口１０に接続される換気管１２は冷媒管体１５やドレンホース１４とともに配管穴に挿入するので、ユニット根元で３管を集合させなければならず、各管はそれぞれ他の領分に入らぬようにまとめなければならない。ここでは、換気ダクト９を背面収納室１３の上方に構成し、接続口の小筒部１０ａを後下向きの斜めに配設してあるので、取り付け時に接続部の目視ができて作業が容易となり、なだらかな曲がりにすることができ、折り曲がりが生じることなく、かつ、最短距離にして通風抵抗を少なくできるものである。よって、騒音を低くできる。また、背面収納室の冷媒管１５およびドレンホース１４は、上から換気ダクト９で抑えられ下からベースの下面壁部で３ｄ抑えられるのに加え、小筒部１０ａをはみ出し防止のストッパーとして活用できるものである。
【００３２】
次に、本発明の第２実施例について図３及び図４を用いて説明する。図３は本発明の第２実施例の空気調和機における室内ユニットの要部断面図、図４は図３の室内ユニットの背面斜視図である。この第２実施例は、次に述べる通り第１実施例と相違するものであり、その他の点については第１実施例と基本的には同一である。
【００３３】
この第２実施例では、換気ダクト９の構成をベース３の後壁部３ａとともに構成したものである。この換気ダクト９は、上壁部９ａ、前壁部９ｂ及び下壁部９ｃの３面がベース３と一体に樹脂成形され、後壁部９ｄがベース３と別体のカバーで形成されている。これによって、換気ダクト９は略箱状断面になっており、縦長の略方形の通風路を構成している。換気ダクト９の下面には、ベース３と別体の接続口１０が取り付けられている。背面収納室１３は換気ダクト９の下方に冷媒管１５を引き回すための空間を有している。
【００３４】
換気ダクト９と上流の換気ファン８との接続は、換気ファン８のケーシング８ａのスクロールを次第に迂回させて換気ダクト９の断面形状と合わせ通風口８ｂとなし、通風口８ｂに届く間で、ベース３のコーナ部（室内ファンの流れにそれほど影響しない部分）を部分的に前方に角とり３ｆを付け、かつ、ケーシング８ａの一部と一体化してケーシング８ａのスクロールの迂回をスムーズにしている。
【００３５】
また、接続口１０の位置は、第１実施例と同様に、換気ダクト９の両端近くと中間の３個所に用意されている。接続口１０は、換気ダクト９の下面に配設され、かつ、小筒部１０ａを有している。小筒部１０ａは、換気ダクト９から後下向きの斜めに形成され、室内ユニット１の最後端位置より内側に配置されている。３個所の接続口１０のうちの１個所を開口して換気管１２と接続される。
【００３６】
この第２実施例によれば、換気ダクト９の上壁部９ａ、前壁部９ｂ及び下壁部９ｃの３面がベース３の後壁部３ａと一体に樹脂成形されており、断面を室内ユニットの後壁部３ａに沿って縦長にすることにより、ベース３の後壁部３ａの共用化を最大限に活用し、内部の有効通風断面積を増大し、通風抵抗を少なくして所定の換気量を確保できる。それにより、前後の厚み寸法を最小限に抑えることができるものである。併せて、換気ダクト９が堅固であるので、潰れたり挟まれたりするようなことはなく、作業後も当初の通風断面積を維持でき、換気ファン８には無理な負荷がかからず、少ない入力で騒音の低い換気ができる。また、換気ダクト９の構成は横長で箱状断面なので室内ユニット１の強度向上に貢献できる。
【００３７】
また、換気ファン８と換気ダクト９との接続構造に関しては、後壁部３ａとともに構成してコーナ部に部分的な前方にへこむ角とり３ｆを付け、ケーシング８ａのスクロールをスムーズに換気ダクト９まで迂回させるなど無駄な空間を少なくして、一層通風抵抗の少ない構造となっており、騒音が低くなり、部品数も少なくなり、据え付け作業時の接続作業を必要としないものが得られる。
【００３８】
また、換気ダクト９はベース３と一体化しているので接続口１０に室外まで送り出す換気管１２を接続するときに、押しても逃げが少ないので作業が容易である。よって、据え付け作業性もよくできる。特に、換気ダクト９の材料を少なくでき、後面壁を取り外し可能なカバー９ｄとすることにより、接続口１０に換気管１２を接続する場合に、換気ダクト９の内部に一方の手をあてがって他方の手で換気管１２を確実に挿入することができる。また、必要に応じて内部に吸音材や断熱材を貼った構造を取り入れることができる。
【００３９】
また、カバー９ｄの形状を下面を兼ねてＬ字状にすれば、カバー９ｄに接続口１０を一体に成形することができるので、別に小筒部を用意する必要はなくなる。あるいは、ベース成形時に中空成形を取り入れて換気ダクト９と接続口１０が同時に形成されるものとして仕上げることにより製作を一層簡素化できるものである。
【００４０】
【発明の効果】
以上の実施例の説明から明らかなように、発明によれば、配管穴の位置が異なっても容易に換気管を換気ダクトに取り付けることができ、室内ユニットの据付作業性に優れた空気調和機を提供することができる。
【００４１】
また、発明によれば、室内ユニットの据付作業性を良好にしつつ、背面収納室の空間を有効に利用して通風ダクトの通風路面積を容易に確保できる空気調和機を提供することができる。
【図面の簡単な説明】
【図１】本発明の第１実施例の空気調和機における室内ユニットの断面図である。
【図２】図１の室内ユニットの背面斜視図である。
【図３】本発明の第２実施例の空気調和機における室内ユニットの要部断面図である。
【図４】図３の室内ユニットの背面斜視図である。
【符号の説明】
１…室内ユニット、２…化粧カバー、２ａ…吸い込み口、２ｂ…吐き出し口、３…ベース、３ａ…後壁部、３ｂ、３ｃ…仕切り、３ｄ…下面壁部、３ｅ…へこみ、３ｆ…角とり、４…室内ファン、６ａ、６ｂ…室内熱交換器、７ａ、７ｂ…ドレン皿、８…換気ファン、８ａ…ケーシング、８ｂ…通風口、８ｃ…曲げ、９…換気ダクト、１０…接続口、１０ａ…小筒部、１１…栓、１２…換気管、１３…背面収納室、１４…ドレンホース、１５…冷媒管、１５ａ…外周断熱材。
【図１】
2004347232.tif 000003
【図２】
2004347232.tif 000004
【図３】
2004347232.tif 000005
【図４】
2004347232.tif 000006